(57)【要約】【課題】紙に出力されて送付された申込書の内容を検証し、修正部分があれば修正して登録する申込書の登録方法を提供する。【解決手段】申し込み先のサーバから配信された申込情報入力画面を通信端末の表示部に表示し、申込情報を入力し、入力が完了した時点で入力情報の少なくとも一部を二次元コードに変換して入力画面の所定の位置に表示し、入力画面に表示された情報の少なくとも一部を通信端末に接続されたプリンタによって申込書としてプリントし、変更事項が発生した時にプリントされた申込書上でプリント内容を修正して申し込み先に送付し、申し込み先の検証端末によって申込書の二次元コードを読み取って記憶装置に申込情報を保管し、修正部分を有する申込書を仕分けし、申し込み先の入力端末によって修正部分を有する申込書の申込情報を修正し、修正された申込情報を登録する申込書の登録方法を提供する。【選択図】  図１
2006236015.tif 000002
【特許請求の範囲】
【請求項１】
ネット経由で配信された申込情報入力画面に申込情報を入力し、入力画面をプリントして申込書を作成し、申込書に銀行登録印を押して送付し、申し込み情報を登録する、申込書の登録方法であって、
申し込み先のサーバが、インターネットで申込情報入力画面を配信するステップと、
申込み側の通信端末が申込情報入力画面を表示部に表示し、入力手段によって申込情報入力画面に申込情報を入力するステップと、入力が完了した時点で、入力情報の少なくとも一部を二次元コードに変換して入力画面の所定の位置に表示するステップと、入力画面に表示された情報の少なくとも一部を通信端末に接続されたプリンタによって申込書としてプリントするステップと、
変更事項が発生した時にプリントされた申込書上でプリント内容を修正して申し込み先に送付するステップと、
申し込み先の検証端末によって申込書の二次元コードを読み取って一時記憶装置に申込情報を保管するステップと、修正部分を有する申込書を仕分けするステップと、
申し込み先の入力端末の入力手段によって修正部分を有する申込書の申込情報を修正するステップと、修正された申込情報を登録するステップと、
からなることを特徴とする申込書の登録方法。
【請求項２】
請求項１に記載の申込書の登録方法において、
入力端末の入力手段によって修正部分を有する申込書の申込情報を修正するステップでは、申込書にプリントされた二次元コードを読み取って修正されるべき申込情報を画面に表示して修正するか、申込書に記載された何れかの情報を入力することによって一時記憶装置から該当する申込情報を画面に表示して修正するかのいずれかの方法で修正することを特徴とする申込書の登録方法。
【請求項３】
請求項１に記載の申込書の登録方法において、
検証端末は、申込書の定められた領域にプリントされた文字，記号，罫線，パターンを面積で認識する認識部を有することを特徴とする申込書の登録方法。
【請求項４】
請求項３に記載の申込書の登録方法において、
検証端末によって修正部分を有する申込書を仕分けするステップでは、
二次元コードに含まれる情報の量と、検証端末の認識部によって読み込まれた情報の量が異なったときに読み込まれた申込書は修正部分を有する申込書であると判断されることを特徴とする申込書の登録方法。
【発明の詳細な説明】
【技術分野】
【０００１】
本発明は、紙に出力されて送付された申込書の内容を検証し、修正部分があれば修正して登録する申込書の登録方法に関する。
【背景技術】
【０００２】
クレジットカード等の入会方法として、クレジットカード会社が用意した入会申込用紙に必要事項を記載し、送付して申し込む方法や、インターネットを利用し、クレジットカード会社のホームページで入会申込みの画面を開き、通信端末からクレジット会社のサーバ経由で申し込む方法等がある。
前記何れの場合も、入会が許可された後、クレジットカードで購入した商品の代金決済は会員が指定した金融機関の引落し口座から支払われるために、申し込みに際しては口座開設時に届け出た印鑑の印影が必要となる。
そのために、前述のインターネットを利用して通信端末からクレジット会社のサーバ経由で申し込む場合は、申込情報入力済み画面を紙に出力し、設けられた捺印欄に押印して提出する。このときに、プリント内容に変更必要部分が見つかったときに、手書きで変更し訂正印等を押して提出する。
インターネットで入会手続きが行われる場合は、ネット経由で送信された申込み内容と、紙に出力されて送付された申込書の内容の突き合わせ，確認を経て申し込み受付が完了する。
【０００３】
そこで、インターネットサービスプロバイダとプロバイダ契約を締結する際に同時にクレジットカードに加入することができるシステムが提案されている（例えば、特許文献１参照）。この提案システムは、プロバイダを経由してクレジットカード会員入会の申し込みを行うと、申込者にＩＤが交付され、ＩＤを交付したプロバイダを介して利用されるインターネット使用料が一定期間無料とされるものである。
【０００４】
【特許文献１】特開２００２−２４７１３号公報
【発明の開示】
【発明が解決しようとする課題】
【０００５】
前述の特許文献１には、クレジットカード非保有者がプロバイダー契約を締結する際、オンラインサインアップと同時にクレジットカードの申し込みを行い、直ぐにインターネットサービスを利用することができるようにすることが記載されているが、申し込み内容の検証については言及されていない。
そこで、本発明は、紙に出力されて送付された申込書の内容を検証し、修正部分があれば修正して登録する申込書の登録方法を提供する。
【課題を解決するための手段】
【０００６】
上記課題を解決するために、本発明の申込書の登録方法の請求項１に記載の発明は、ネット経由で配信された申込情報入力画面に申込情報を入力し、入力画面をプリントして申込書を作成し、申込書に銀行登録印を押して送付し、申込情報を登録する、申込書の登録方法であって、申し込み先のサーバが、インターネットで申込情報入力画面を配信するステップと、申込み側の通信端末が申込情報入力画面を表示部に表示し、入力手段によって申込情報入力画面に申込情報を入力するステップと、入力が完了した時点で、入力情報の少なくとも一部を二次元コードに変換して入力画面の所定の位置に表示するステップと、入力画面に表示された情報の少なくとも一部を通信端末に接続されたプリンタによって申込書としてプリントするステップと、変更事項が発生した時にプリントされた申込書上でプリント内容を修正して申し込み先に送付するステップと、申し込み先の検証端末によって申込書の二次元コードを読み取って記憶装置に申込情報を保管するステップと、修正部分を有する申込書を仕分けするステップと、申し込み先の入力端末の入力手段によって修正部分を有する申込書の申込情報を修正するステップと、修正された申込情報を登録するステップと、からなることを特徴とするものである。
【０００７】
また、請求項２に記載の発明は、請求項１に記載の発明において、入力端末の入力手段によって修正部分を有する申込書の申込情報を修正するステップでは、申込書にプリントされた二次元コードを読み取って修正されるべき申込情報を画面に表示して修正するか、申込書に記載された何れかの情報を入力することによって記憶装置から該当する申込情報を画面に表示して修正するかのいずれかの方法で修正することを特徴とするものである。
【０００８】
また、請求項３に記載の発明は、請求項１に記載の発明において、検証端末は、申込書の定められた領域にプリントされた文字，記号，罫線，パターンを面積で認識する認識部を有することを特徴とするものである。
【０００９】
また、請求項４に記載の発明は、請求項３に記載の発明において、検証端末によって修正部分を有する申込書を仕分けするステップでは、二次元コードに含まれる情報の量と、検証端末の認識部によって読み込まれた情報の量が異なったときに読み込まれた申込書は修正部分を有する申込書であると判断されることを特徴とするものである。
【発明の効果】
【００１０】
本発明の申込書の登録方法により、申込書がプリント出力された後で、訂正部が発見された申込書も、訂正部が無い申込書も、申し込み先で自動的に検証され、効率よく登録作業を進めることができる。
【発明を実施するための最良の形態】
【００１１】
以下、図面を参照して、本発明の申込書の登録方法について説明する。
以下の説明では、本発明の申込書の登録方法について、クレジットカードの会員申込時における申込書の登録方法の例で説明する。
図１は、本発明の申込書の登録方法を実行するための装置について説明するためのブロック図，図２は、申込情報入力画面の一例について説明するための図，図３は、申込情報入力終了後の申込情報入力画面の一例について説明するための図，図４は、プリンタによってプリントされた申込書の一例について説明するための図，図５は、プリントされた申込情報の一部が修正された申込書の一例について説明するための図，図６は、申し込み先で修正部分が修正された登録直前の申込情報入力画面の一例について説明するための図，図７は、申込書の検証方法について説明するための図，図８は、本発明の申込書の登録方法の、登録手順の一例について説明するための図，である。
【００１２】
図１を参照して、本発明の申込書の登録方法を実行するための装置について説明する。
クレジットカードの会員申込書の申込情報入力画面を提供するクレジットカード会社、または関連する会社の申し込み先装置１００として、申込情報入力画面を配信するサーバ１がインターネットに接続されている。
サーバ１には、少なくとも各種の入力画面の入力フォーマット，プログラムが格納された記憶装置１１が接続されている。
また、記憶装置１１には、送付された申込書を、修正部分を有するものと有しないものに仕分けするための検証端末１２、及び、送信された申込書の修正部分を修正するための入力端末１３が直接、または、間接的に接続されている。
【００１３】
検証端末１２は、二次元コード読取部と申込書の定められた領域にプリントされた文字，記号，罫線，パターンを面積で認識する認識部とを備えており、プリントされた情報や修正部分の面積要素（量）と二次元コードに含まれる情報の面積要素（量）とを比較して、両者の量が異なったときに読み込まれた申込書は修正部分を有する申込書であると判断する。
【００１４】
一方、申し込み側装置２００として、少なくとも、入力手段，表示手段，送受信手段を有する通信端末２がネット上に複数接続されている。
通信端末２の入力手段は、表示部に表示された入力画面の入力枠の中に氏名，住所，電話番号，メールアドレス，暗証番号，指定した引落し口座情報として金融機関名，預金の種別，口座番号を入力する。
また、通信端末２には、申込書をプリントするプリンタ３が、無線または有線で接続されている。
このプリンタ３は、フレキシブルディスクなどの記録媒体を読み取って記録内容をプリントするスタンドアロン型のプリンタであってもよい。
【００１５】
申込情報が入力された申込み画面をプリンタ３でプリントする。
プリントされた申込情報に修正を必要とする部分が発見された場合は、プリント紙面の修正部分を２本線で抹消し修正内容を記載する。
プリントされた申込書の捺印欄に、金融機関に登録した「お届け印」、または、「登録印」（以下、登録印という。）で押印する。
通常、送付控えとして２枚同じものをプリントする。
上記捺印された申込書をクレジットカード会社、または、その関連会社に送付する。
【００１６】
図２を参照して、申込情報入力画面の一例について説明する。
申込情報入力画面２０は、プリントするとそのまま申込書となるようレイアウトされており、また、申込情報入力画面の右下部分には捺印欄２０７が設けられている。また、捺印欄２０７の上部には入力枠に入力された申込情報を二次元コードに変換して表示するための二次元コード表示欄２０８が設けられている。
申込情報入力画面２０は、電子フォームの形態をとっており、入力枠には、それぞれ編集プログラムが組み込まれている。
入力された情報がどのように扱われるかは、この編集プログラムによって決定される。
例えば、本実施の形態では、氏名入力枠２０１，住所入力枠２０２，電話番号入力枠２０３，メールアドレス入力枠２０４，暗証番号入力枠２０５，引落し口座情報入力枠２０６にはプリントの際に指定された書体，級数で印字するためのプログラムが組み込まれている。
また、暗証番号入力枠２０５，引落し口座情報入力枠２０６の口座番号入力枠には、プリントの際に指定された記号で印字するためのプログラムなどが組み込まれている。
更に、「入力終了／変更」ボタン２１を押すと、「入力終了／変更」ボタン２１に組み込まれたプログラムによって各入力枠に入力された情報の一部または全てが二次元コード化されて二次元コード表示欄２０８に表示される。
【００１７】
図３を参照して、申込情報入力終了後の申込情報入力画面の一例について説明する。
通信端末の入力手段によって、氏名入力枠２０１に「日本太郎」，住所入力枠２０２に「東京都新宿区○○町一丁目１２３番地」，電話番号入力枠２０３に「０３−１２３４−５６７８」，メールアドレス入力枠２０４に「ｎｔａｒｏ＠ａｂｃ．ｎｅ．ｊｐ」，暗証番号入力枠２０５に「１２５６」，引落し口座情報入力枠２０６に「ｘｙｚ（銀行）新宿（支店）」，預金の種類として「普通」，口座番号として「５６７８９９」を入力し、「入力終了／変更」ボタン２１を押す。
「入力終了／変更」ボタン２１が押されると、これら申込情報として入力された入力情報が二次元コードに変換され、二次元コード表示欄２０８に表示される。
また、それぞれの入力枠に入力された入力情報には入力枠コードが貼付される。
【００１８】
ここで、二次元コードについて説明する。
二次元コードは、水平，垂直方向に情報を有し、可視光や赤外光による読取装置，デジタルカメラなどによって読み取られる。
二次元コードには、マトリックス型二次元コードとスタック型二次元コードがある。
マトリックス型二次元コードには、データコード，マキシコード，ＣＰコード，ＱＲコード等の種類があり、スタック型二次元コードには、ＰＤＦ４１７，コード４９，コード１６Ｋ，コーダブロック等の種類がある。
図に示す二次元コードは、ＰＤＦ４１７で、最大データ量として、英数字の場合は約２７００文字、漢字の場合は約５５０文字を表現（内包）することができる。
【００１９】
図４を参照して、プリンタによってプリントされた申込書の一例について説明する。
申込者の氏名「日本太郎」，住所「東京都新宿区○○町一丁目１２３番地」，電話番号「０３−１２３４−５６７８」，メールアドレス「ｎｔａｒｏ＠ａｂｃ．ｎｅ．ｊｐ」，引落し口座情報「ｘｙｚ（銀行）新宿（支店）」，預金の種類「普通」が文字情報でプリントされ、非表示項目である暗証番号，引落し口座番号は記号「＊」でプリントされている。また、二次元コードがプリントされている。
プリント内容に変更箇所が無ければ申込書４は、捺印欄に登録印の印影４１が押印され、送付先に送付される。
【００２０】
図５を参照して、プリントされた申込情報の一部が修正された申込書の一例について説明する。
申込者側でプリントされた申込書の入力情報を確認した結果、住所情報２０２の番地部分に入力ミスが発見された。
申込者は、入力ミスの部分「１２３番地」に２本線を引いて抹消し、訂正印５で押印し、修正情報「１６３番地」２０２０を記載する。
修正部分を含めプリント情報を確認し、申込書４の捺印欄２０７に登録印の印影４１を押印し、送付先に送付する。
【００２１】
図６を参照して、申し込み先で修正部分が修正された登録直前の申込情報入力画面の一例について説明する。
申し込み先では、図４，図５で説明した申込書を検証端末によって検証し、修正部分を有する申込書を抽出する。
図４で説明した申込書は、検証端末にセットされると二次元コードに格納された情報の量と、文字でプリントされた入力情報の量が等しいことが確認され、二次元コードに格納された申込情報を検証端末に接続された記憶装置に記憶する。
図５で説明した申込書４は、二次元コードに格納された情報の量と、文字でプリントされた入力情報の量が異なることが確認され、二次元コードに格納された申込情報にフラグを貼付して検証端末に接続された記憶装置に格納し、読み取った申込書を修正用ボックス（図示せず）に排出する。
【００２２】
入力端末による修正方法の一例について説明する。
入力端末は記憶装置に接続されており、検証端末によって作成され、記憶装置に格納された申込情報修正リストを表示する。
修正リストにリストアップされたデータの順序は、検証端末から排出された修正部分を有する申込書の順序と一致しており、申込書を参照しながら修正された部分を変更する。
その結果、図５で表示された申込書に関しては住所情報２０２が修正されて、正しい番地の住所情報２０２１に変更される。
【００２３】
入力端末による修正方法の他の一例について説明する。
入力端末の入力画面に検証端末から排出された修正部分を有する申込書の入力項目の何れか、例えば、「氏名情報」を入力すると該当する申込書の申込情報が記憶装置から読み出され、図６に示すような修正画面で表示される。
その結果、図５で示した申込書に対して、住所情報２０２を修正して正しい番地の住所情報２０２１に変更する。
修正の際は、修正ボタン２２を押して修正し、修正作業が終了したら、登録ボタン２３を押して申込情報を登録する。
また図示しないが、送付された申込書（図５参照）には修正済みのマークが付されて保管される。
【００２４】
図７を参照して、申込書の検証方法について説明する。
ａ図の枠内には「１２３番地」２０２と印字された文字部が存在する。
この文字部は、例えば、トナー，インキなどセンサの光を吸収するプリント部（非反射部）であり文字の書体と級数が判れば非反射部の面積は計算によって算出することができる。
ｂ図とａ図とを比較した場合、ｂ図の非反射部の面積はａ図の非反射部「１２３番地」２０２の面積に抹消線６（２本の直線部分）の面積を加算した面積に等しく、したがって、検証端末のセンサが収集したプリント部分の非反射要素と前記理論値を比較することによって、プリント部分の非反射要素が理論値より多くなっていれば修正されたものと見なすことができる。
検証が終わると、修正部を有する申込書は、氏名情報に修正コードが貼付されて記憶装置に格納される。
なお、二次元コードに記録されている文字情報には、サーバから配信された時点で、入力の際に使用する英文字，数字，記号，仮名，漢字の種類，書体，級数が定められているために前記ａ図に示す面積情報（理論値）を記憶している。
【００２５】
図８を参照して本発明の申込書の登録方法の、登録手順の一例について説明する。
サーバ１は、インターネット上に申込情報入力画面を配信する（ステップ１：以下、Ｓ１という。）。
通信端末２は、通信端末２の表示部に申込情報入力画面を表示する（Ｓ２）。
通信端末２の入力手段によって、申込情報を入力する（Ｓ３）。
申込書をプリンタによってプリントする（Ｓ４）。
プリントされた申込書のプリント内容を確認し、修正事項があれば修正し、捺印欄に登録印で押印し、申し込み先であるクレジットカード会社、または、その関連会社に送付する（Ｓ５）。
検証端末１２は、申込書の二次元コードを読み取り検証端末に一時保管する（Ｓ６）。
修正部分を有する申込書にはフラグを貼付し、記憶装置に申込情報として保管する（Ｓ７）。
記憶装置１１は、申込情報を保管する（Ｓ８）。
検証端末は、修正された申込書を仕分け（区分）する（Ｓ９）。
入力端末１３は、記憶装置１１から修正を要する申込情報を読み出す（Ｓ１０）。
入力端末１３は、記憶装置から読み出した申込情報の修正部分を、修正された申込書を参照して変更する（Ｓ１１）。
修正作業が終わったら、「登録」ボタンを押して申込情報を登録する（Ｓ１２）。
記憶装置は、申込情報を保管する（Ｓ１３）。
【産業上の利用可能性】
【００２６】
インターネットで配信された入力画面に申込み情報を入力し、プリントされた申込書で申込みを行う申込業務全般に利用できる。
【図面の簡単な説明】
【００２７】
【図１】本発明の申込書の登録方法を実行するための装置について説明するためのブロック図である。
【図２】申込情報入力画面の一例について説明するための図である。
【図３】申込情報入力終了後の申込情報入力画面の一例について説明するための図である。
【図４】プリンタによってプリントされ、金融機関に登録された登録印が押印された申込書の一例について説明するための図である。
【図５】プリントされた申込情報の一部が修正された申込書の一例について説明するための図である。
【図６】申し込み先で修正部分が修正された登録直前の申込情報入力画面の一例について説明するための図である。
【図７】申込書の検証方法について説明するための図である。
【図８】本発明の申込書の登録方法の、登録手順の一例について説明するための図である。
【符号の説明】
【００２８】
１      サーバ
２      通信端末
３      プリンタ
４      申込書（送付物）
５      訂正印
６      抹消線
１１    記憶装置
１２    検証端末
１３    入力端末
２０    申込情報入力画面
２１    入力終了／変更ボタン
２２    修正ボタン
２３    登録ボタン
４１    印影
１００  申し込み先装置
２００  申込側装置
２０１  氏名入力枠
２０２  住所入力枠
２０３  電話番号入力枠
２０４  メールアドレス入力枠
２０５  暗証番号入力枠
２０６  引落し口座情報入力枠
２０７  捺印欄
２０８  二次元コード，二次元コード表示欄
２０２０  修正情報
２０２１  修正された住所情報
【図１】
2006236015.tif 000003
【図２】
2006236015.tif 000004
【図３】
2006236015.tif 000005
【図４】
2006236015.tif 000006
【図５】
2006236015.tif 000007
【図６】
2006236015.tif 000008
【図７】
2006236015.tif 000009
【図８】
2006236015.tif 000010